(57)【要約】【課題】独自のスタイルをもつことができるグリーティングカードを提供する。【解決手段】少なくとも１つの折り目（２０）を介して互いに繋がった少なくとも１つの中央部分（１６）と少なくとも１つの多目的部分（１８）とを画定するシート（１１）を備えるグリーティングカード（１０）などの物品である。中央部分（１６）は、互いに引き合わせられて３次元形状を作るように構成された２つの対向する縁（２６、２８）を有する。折り目（２０）は、中央部分（１６）と多目的部分（１８）との交差点に位置する。これらの部分（１６、１８）は、折り曲げ可能に繋がっており、多目的部分（１８）は、折り曲げることができ、３次元形状に隣接するかまたは角度をなす位置に適しており、その位置に固定されてもよい。グリーティングカード（１０）は、複数の係合手段（３０、３２）と、開口（３８）と、紐（３９）とをさらに備えてもよい。【選択図】図１
2018158589.tif 000002
【特許請求の範囲】
【請求項１】
少なくとも２つの部分を画定する、１枚の平坦なシート材料を備える物品であって、前記少なくとも２つの部分は、折り曲げ可能に繋げられた中央部分と多目的部分とであり、
（ａ）前記中央部分は、３次元形状に立設でき、（ｉ）第１縁と、前記第１縁より短い２つの対向する第２縁および第３縁と、を備え、前記２つの対向する第２縁および第３縁が互いに近づけられて前記３次元形状を形成することができ、前記第１縁がさらに第１縁部分と第２縁部分とを有し、前記第１縁部分が前記第１縁の１端に位置し、前記第２縁部分が前記第１縁の他端である末端に位置し、前記第１縁部分と前記第２縁部分とが互いに近づけられると、前記中央部分が、前記３次元形状に立設されるとともに、前記２つの対向する第２縁および第３縁にそれぞれ隣接する、離間した第１及び第２の係合手段の係合によって固定され、さらに、
前記中央部分が（ｉｉ）前記多目的部分に繋げられ、
（ｂ）前記多目的部分が、前記第１縁に沿った位置ではあるが、前記２つの対向する第２縁および第３縁から遠位の任意の位置に配置されて、前記３次元形状の前景部または側部または内側部分を形成することができ、
これにより、前記多目的部分が、
（ｉ）折り目を介して、前記中央部分に折り曲げ可能に繋げられ、かつ、
（ｉｉ）前記立設された３次元形状の前面または背面に隣接する位置またはこれらの面に対して角度をなす位置へ折り曲げることができる、
物品。
【請求項２】
さらに、さらなる多目的部分を含み、前記さらなる多目的部分は、折り目を介して、前記中央部分に折り曲げ可能に繋げられ、前記背面側に折り曲げられると、前記３次元形状の底部を閉じて、前記３次元形状内に、物体を挿入できる空洞を画定するように前記３次元形状の基部として機能する、請求項１に記載の物品。
【請求項３】
前記中央部分が、少なくとも２つの部位を含み、前記２つの部位の一部は一体的に繋がっており、前記２つの部位の別の一部は切り離されており、それによって、前記中央部分が前記３次元形状に組み立てられたときに、前記２つの部位の一方が、前記２つの部位の他方から突き出る、請求項１に記載の物品。
【請求項４】
前記中央部分は、前記３次元形状にあるときに、胴部と頭部とを有する身体を表現し、
前記中央部分の上部が、前記頭部と前記胴部の上側とを形成し、前記第中央部分の本体部が、前記胴部の下側を形成する、請求項３に記載の物品。
【請求項５】
前記中央部分は、上部と本体部とを有し、
前記本体部が互いに離間した第１の係合手段と第２の係合手段を備え、
前記中央部分自体が折り曲げられるときに、前記第１の係合手段と第２の係合手段とが相互係合して前記中央部分を３次元形状に変形させる、請求項１に記載の物品。
【請求項６】
前記第１の係合手段はタブを備え、
前記第２の係合手段は、前記タブを受け入れるように構成された溝穴を備える、請求項５に記載の物品。
【請求項７】
前記中央部分が前記３次元形状に立設されたときに最内側になる、前記中央部分の特定の面に重りが取り付けられる、請求項１に記載の物品。
【請求項８】
前記２つの対向する第２縁および第３縁の１つに隣接し、かつ連続して配置され、前記３次元形状の背景部を形成する、端部多目的部分を含む、請求項１に記載の物品。
【請求項９】
折り目を介して前記多目的部分に折り曲げ可能に繋げられた、さらなる多目的部分を含む、請求項１に記載の物品。
【請求項１０】
折り目を介して前記中央部分に折り曲げ可能に繋げられた、さらなる中央部分を含む、請求項１に記載の物品。
【請求項１１】
さらなる多目的部分が折り目を介して前記さらなる中央部分に折り曲げ可能に繋げられている、請求項１０に記載の物品。
【請求項１２】
前記第１縁と前記溝穴との間に踵部が位置し、前記中央部分と多目的部分とが折り曲げられて前記３次元形状を形成すると、前記踵部が前記３次元形状に対する延長端部となって１表面に載り、前記第１縁に対して重量を均等配分するとともに前記３次元形状にバランスと安定性を与える、請求項６に記載の物品。
【発明の詳細な説明】
【技術分野】
【０００１】
本発明は、略平坦状の折り畳んだ状態から３次元形状の立設状態へ変化することができ、またその折り畳んだ状態へ戻すことができる物品に関する。
【０００２】
物品は、例えば、挨拶メッセージまたはその他の情報を伝えるグリーティングカード、装飾品、贈り物、土産、オーナメント、パズル、娯楽品、卓上ネームカード、教育用具、広告用またはその他の情報の伝達用の宣伝用具または展示装置などの任意の適切な目的に使用されてよい。
【背景技術】
【０００３】
背景技術の説明は、本発明の背景を提供する目的のためだけに含まれる。本説明は、記載された材料のいずれかがオーストラリアまたは別の場所において優先日以前に本発明に関連する分野における共通の一般知識であったと認めるまたは許可するものではないことが理解されるだろう。
【０００４】
特別な機会にまたは好意の印として、グリーティングカードは、差出人としてのある人から受取人としての別の人に与えられることができる。このようなグリーティングカードは、通常、前表紙に、図柄、メッセージ、写真、またはこれらの組み合わせを組み込むように冊子型に製造されている。冊子型グリーティングカードは、平坦に折り畳み、封筒に入れて、指定された受取人に郵送することができるが、概して、受取人は、受取時、封筒を開ける前に封筒の中に何が入っているかが予め分かってしまう。期待、驚嘆、興奮、またはサプライズの要素は全くない。つまり、グリーティングカードは、グリーティングカードでしかない。冊子型グリーティングカードが、受取人によって飾られるのは、通常、わずかな期間である。
【０００５】
近年、ポップアップカードおよび３次元グリーティングカードの導入によってグリーティングカードに興奮と生命を付加する試みが行われている。グリーティングカードは、一貫して似通っており、また一貫してありふれており、事実上発展が止まっていた。グリーティングカードとは、そういうものであって、また、約６５０年間そうして存続してきた。
【０００６】
冊子型グリーティングカードは、概して、展示しにくい場合が多く、グリーティングカードを展示する場合には、前表紙あるいは内表紙またはページだけが展示され、また少しの風でもグリーティングカードは家具から転倒してしまう。
【０００７】
グリーティングカードを展示用に３次元形状に組み立てることを可能にする条件を介して、グリーティングカードによって引き起こされる感情や関心を高めるための様々な提案がなされている。
【０００８】
米国特許第８，２５２，３９１号、米国特許出願第１３／５９７，１９０号、ＰＣＴ特許出願第ＡＵ２００８／００００３９号、豪州特許第２００８２０７２８３号、メキシコ特許第３０４４９９号、中国特許出願第２００８８０００８５４１．１号、ブラジル特許出願第ＰＩ０００８０６７６９−４号、およびインド特許出願第１５３６／ＭＵＭＮＰ／２００９号に加えて、こうした提案の例は、米国特許第２，６１６，１９９号、第２，６９６，６９０号、第３，１３４，７０８号、第３，５７１，９５８号、第６，１７３，５１５号、第７，５９６，８９６  Ｂ２号、第７，４９０，４２５  Ｂ２号、第７，４０９，７８７  Ｂ２号，第７，３１６，０８５  Ｂ１号、第５，９３３，９８９号、第５２６，１７２号、第７，１００，３１７号、およびマーサスチュワートリビングマガジン（Martha Stewart Living Magazine）、２０００年１２月号、９０ページ「紙皿の天使（Paper Plate Angels）」、Ｈ．ヘイズ（米国特許第２，２０５，２６２号（また、２２，１０９）およびシルバン（http:crafts.kaboose.com/angel-and-singer-ornaments.htmおよびhttp://www.kidsdomain.com/craft/cegif/orn/ang-horn.gif）に開示されている。
【０００９】
このような提案の一部は、興味を創造したり、３次元形状での展示を可能にしたりするのに有効でありうるが、それらの提案は、立設させるのがかなり複雑であるのに加えて／または、展示用に立設状態にしたときに安定が十分でない。グリーティングカードは、いつも進化し、差出人に対しては新しい選択肢を、受取人に対しては興奮を常に提示すべきである。本発明は、グリーティングカードの受取の際に、そして他の種類のグリーティングカードが保存されたり捨てられたりするずっと後も、より大きな差出人の思い出を提供する。企業や法人は、それら企業や法人の仕様に設計された前述の品質をもつ本発明のグリーティングカードにおいてカスタマイズされた顧客への書信や広告で独自のスタイルをもつことができる。
【００１０】
本発明は、少なくとも部分的に上記の従来技術の欠点または限界を克服し、上記で言及した従来技術の構成に革新的な進歩および有用な選択肢を提供することを目的とする。
【００１１】
該物品が購入されるとき、購入者は、キャラクター、シーン、スポーツなど、また多くの言語の言葉の範囲から選択を行ってよい。また、選択対象となる、簡潔性、創造性、感興性、相互作用性、複雑性の程度も様々である。これらの選択肢は、使用される図柄や技術、部分、蝶番、離間した係合手段、接着手段、開口、および紐のレイアウトや数の違いによって生じる。これらの座標を組み合わせたり、戦略的に一部を追加したり除去したりすることによって、構成は常に違うものになる。座標を所定の位置に折り曲げると、整合した芸術作品が認識されるようになる。
【００１２】
最も単純な形状をした物品では、３次元形状を実現するために、曲がり目と、フリップ部と、スティック部とがありさえすればよい。簡潔だが感興的である。また、期待、驚嘆、興奮、創造性、相互作用性があり、またサプライズ要素もある。物品を単純またはより複雑な３次元形状に完全に立設する前に、物品がどのような見た目なのかが分からないため、受取人は上述したような予想外の感情を体験するように促される。より複雑な形状の物品では、複数の座標を見極めて３次元形状へ立設するために、スキル、相互作用性、精巧性、および精神的強靭さに対して様々な挑戦レベルが提供される。物品は、支持体に吊り下げたり接着したり、あるいは好適な面に載置させることができる。グリーティングカードの形状で、家庭やオフィス内の任意の微風状態に載置させることができるように、物品上に重りを置いてもよい。グリーティングカードの形状で、自動車またはボートの内側または外側に吊り下げることができるように、リボンを物品の押出開口へ挿入してもよい。
【発明の概要】
【課題を解決するための手段】
【００１３】
本発明の第１の態様によれば、少なくとも２つの部分、つまり第１部分と第２部分とを画定する、１枚の平坦なシート材料を含む物品が提供される。第１部分は中央部分を画定し、第２部分は多目的部分を画定し、中央部分と多目的部分とは折り目を介して互いに折り曲げ可能に繋がっており、中央部分は３次元形状への立設に適しており、多目的部分は立設された３次元形状に隣接するかまたは角度をなす位置に適している。別の配置では、物品は、１つまたは複数の中央部分と、１つまたは複数の多目的部分と、１つまたは複数の折り目とを含むことができる。
【００１４】
中央部分は、互いに引き合わせられて３次元形状を作成するように構成された、対向する第２縁と第３縁とを含むのが好ましい。中央部分は、中央部分が３次元形状に立設されたときに、底端を画定する第１縁をさらに含み、第１縁は、中央部分の第２縁および第３縁で終わっている。この配置では、中央部分自身を巻いて（turned upon）、２つの対向する第２縁と第３縁とを繋ぎ合わせることができる。中央部分が略逆円錐形を有するように、立設した３次元形状の下端は、曲線外周を有するのが好ましい。曲線外周は、複数の直線からなってもよい。
【００１５】
第１縁は、第１縁部分と第２縁部分とを含むのが好ましい。第１縁部分は、第１縁の一端にあり、第２縁部分は、第１縁の他端の末端にある。第１縁部分は、第１縁と第３縁との交差点に位置し、第２縁部分は、第１縁と第２縁との交差点に位置する。第１縁部分と第２縁部分とが繋ぎ合わされると、中央部分が３次元形状に立設される。第１縁部分および第２縁部分は、中央部分が平坦なときに、第１の距離だけ離間し、中央部分が３次元形状に立設されたときに、第１距離よりも短い第２距離だけ離間する。
【００１６】
中央部分は下端と上端とを有するのが好ましく、中央部分が自身に対して引き合わせられたときに、離間した第１の係合手段と第２の係合手段とが相互係合して中央部分を３次元形状に固定するように、上端は、第１および第２の係合手段を備える。
【００１７】
第１の係合手段はタブを含み、第２の係合手段は、タブを受け入れるように構成された溝穴を含む。タブと溝穴との間の係合に際して、タブの一部が溝穴に隣接する部分の後ろに位置するように、タブに切れ込みを入れてもよい。離間した第１および第２の係合手段は、タブおよび溝穴以外の形状を含んでもよい。別の配置では、係合手段は、他の係合手段の形状を含んでもよい。別の配置では、離間した第１の係合手段が、任意の部分にあり、また離間した第２の係合手段が、任意の部分にあってよい。
【００１８】
中央部分は、少なくとも２つの部位を含み、２つの部位の一部は、２つの部位の別の一部が切り離された状態で、一体的に繋がっており、それによって、中央部分が３次元形状に組み立てられたときに、これらの部位の一方が、これらの部位の他方から突き出る。この配置では、中央部分は、３次元形状にあるときに、胴部と頭部とを有する身体を表現することができ、一方の部位が頭部と胴部の上側とを形成し、別の部位が、胴部の下側を形成している。
【００１９】
別の配置では、身体の部位は、中央部分が２次元平面形状にあるときに、少なくとも中央部分の幅まで幅方向に延在可能であり、また、中央部分が２次元平面形状にあるときに、少なくとも中央部分の高さまで延在可能である。図１７に示された別の配置では、中央部分は、３次元形状にあるときに、建物の下層階を表現することができる。図１８に示された別の配置では、中央部分は、３次元形状にあるときに、建物全体を表現することができる。
【００２０】
シート素材を裁断して所望の構成のシートを生成するときに同時に中央部分を裁断して少なくとも２つの部位を生成すると都合がよい。
【００２１】
中央部分は、第１縁と溝穴とを含み、それらの間に踵部を配置するのが好ましい。中央部分と多目的部分とが３次元形状にあり、支持体表面に載っているとき、踵部は、３次元形状のためのバランスと安定性とを提供する。踵部の寸法は、別の配置のバランスおよび安定要件に適するように変更可能であり、第１縁はそれに応じて適合する。
【００２２】
折り目が、多目的部分と中央部分とを折り曲げ可能に繋げるのが好ましい。別の配置では、任意の中央部分を、折り目を介してさらに別の中央部分と繋げることも可能である。任意の中央部分を、折り目を介して多目的部分と繋げることも可能である。任意の多目的部分を、折り目を介してさらに別の多目的部分と繋げることも可能である。別の配置では、各部分は、１つまたは複数の折り目から構成されてもよい。
【００２３】
多目的部分は、折り目を介して中央部分に折り曲げ可能に繋がっており、３次元形状にあるときに中央部分に隣接するかまたは角度をなす位置に折り曲げられるように構成されるのが好ましい。
【００２４】
別の配置では、多目的部分の汎用性により、多目的部分自体が、背景、前景、内側部分（７４）、側部、頂部、基部（５４）を含むがこれらに限定されない多様な名称および役割に適合することが可能になり、多目的部分によって採用された特定の用途を規定する。所与の採用された名称にあるとき、多目的部分は、さらに別の多目的部分およびさらに別の中央部分に隣接するかまたは角度をなす位置に折り曲げられるように構成される。
【００２５】
図７の構成要素（７４）に見られる内側部分の役割を果たす多目的部分は、中央部分が３次元形状に立設される前に、中央部分の背面に隣接するかまたは角度をなす位置に折り曲げられるように構成される。
【００２６】
別の配置では、多目的部分は、少なくとも中央部分と同じサイズであってよい。
【００２７】
図１６に示された別の配置では、基部の役割を果たす多目的部分１８および内側部分の役割を果たす多目的部分１８ａは、中央部分が３次元形状に立設される前に、中央部分の底端および中央部分の背面に隣接するかまたは角度をなす位置にそれぞれ折り曲げられるように構成される。
【００２８】
多目的部分は、３次元形状に固定されるように構成されるのが好ましい。多目的部分を３次元形状に固定するために、糊や両面テープなどであるがこれらに限定されない接着手段を提供することができる。
【００２９】
別の配置では、任意の部分を別の任意の部分に固定するために接着手段が提供されてもよい。部分の一部をそれ自体に対して固定するために接着手段を提供することもできる。
【００３０】
別の配置では、物品は、１つまたは複数の中央部分、多目的部分、折り目、離間した第１の係合手段、離間した第２の係合手段、開口３８、紐、および接着手段を含むことができる。
【００３１】
中央部分および多目的部分は、それぞれ境界縁を含む。中央部分の境界縁は、中央境界として画定され、多目的部分の境界縁は、多目的境界として画定される。
【００３２】
多目的境界は、折り目を介して１つまたは複数の多目的境界と繋がっている。多目的境界は、折り目を介して１つまたは複数の中央境界と繋がっている。中央境界は、折り目を介して１つまたは複数の中央境界と繋がっている。中央境界は、折り目を介して１つまたは複数の多目的境界と繋がっている。
【００３３】
本発明による物品は、１枚の平坦なシート材料から作られた（例えばグリーティングカードなどの）カードとして構成される。シートは、１枚の平坦な素材からなる。シートは、紙、ボール紙、プラスチック、鉱物、電子ペーパー、およびパーチメント紙などを含むがこれらに限定されない任意の好適な材料および好適な厚さのシート素材から作製されることができる。通常、シート素材を裁断して、所望の構成をもつシートを生成する。シート素材は、ダイカッティング処理によって裁断することができる。シートは、１つまたは複数の折り目を含むことができる。
【００３４】
贈り物などの物体を内部に挿入することができる空洞が３次元形状内に画定されるように、３次元形状は、基部を備えることができる。
【００３５】
組み立て後の物品を展示用に支持体に取り付けることができるように、取付手段を受け入れるように多目的部分を構成することができるのが好ましい。
【００３６】
別の配置では、組み立て後の物品を展示用に支持体に取り付けることができるように、取付手段を受け入れるように任意の部分を構成することができる。
【００３７】
別の配置では、取付手段は、冷蔵庫のドアまたは自動車の一部などであるがこれらに限定されない金属面に物品を取り付けるための少なくとも１つの磁石などであるがこれに限定されない取付装置を含むことができる。別の配置では、組み立て後の物品を展示用に吊り下げることができる紐などであるがこれに限定されない吊下げ要素を含むことができる。別の配置では、１つまたは複数の開口を挿通することができる１つまたは複数の糸があってもよい。
【００３８】
図３に示された本発明の第２の態様によれば、３次元形状に変形するように配置された中央部分を含む１枚の平坦なシート材料から形成される物品が提供される。中央部分は、下端と上端とを有し、中央部分が自身に対して引き合わせられたときに、離間した第１および第２の係合手段が相互係合して中央部分を３次元形状に変形させるように、上端が第１および第２の係合手段を備える。
【００３９】
図６に示された本発明の第３の態様によれば、中央部分は、３次元形状に立設される前または立設されるときに、重りを受け取って、支持体表面に載っているときの三次元形状の安定性を高めるように構成することができる。重りは、平坦なときまたは中央部分が３次元形状に立設しているときに、中央部分の正面の背面に取り付けられる。
【００４０】
３次元形状で多様な芸術性を表現できるように構成された、複数の中央部分、多目的部分、折り目、第１の係合、第２の係合、紐、接着手段があってよい。
【００４１】
別の配置では、中央部分の第１縁で繋がった、ロウソクを表現する複数の多目的部分がある。差出人は、誕生日のときに必要数を超える数のロウソクを、カードから引き抜くことなく、折り目で第１縁から切り取ることによって取り除くことができる。
【００４２】
別の配置では、（休暇中の）差出人の写真を多目的部分１８ａに貼り付けて、次にその身体の輪郭線の周りを切断するべく、図１７（１８ａ）のように、前景の役割を果たす多目的部分が、差出人のために直立した縦長形状などであるが、これに限定されない形状をしている。この多目的部分（１８ａ）を所定の場所に持ち上げると、象徴的なイメージや観光アトラクションの前に立っている差出人が現れる。差出人が、自分の写真を多目的部分（１８ａ）に載せる他の手段には、電子的手段を介して本発明のグリーティングカードからなる物品への写真の直接アップロードの利用が含まれるが、これに限定されない。
【００４３】
別の配置では、物品／カードの詰め合わせを、部屋装飾用の吊下げモビールとして配置することができる。
【図面の簡単な説明】
【００４４】
添付の図面に図示された以下の記載を参照すれば、本発明がより理解されるだろう。
【図１】グリーティングカードとして構成され、２次元平面形状で図示された、第１の実施形態による物品の前面図である。
【図２】２次元平面形状にある図１のグリーティングカードの背面図である。
【図３】３次元形状に組み立てられる途中の図１のグリーティングカードの前方斜視図である。
【図４】組み立て後の３次元形状にある図１のグリーティングカードの前方斜視図である。
【図５】図４に図示されたグリーティングカードの側立面図である。
【図６】２次元平面形状における重りの位置決め用に印付された位置を示した、第２の実施形態によるグリーティングカードの背面図である。
【図７】グリーティングカードとして構成され、１つの中心部分と、複数の多目的部分と、複数の折り目とからなり、２次元平面形状で図示される、第３の実施形態による物品の前面図である。
【図８】組み立て後の３次元形状にある図７のグリーティングカードの前方斜視図である。
【図９】グリーティングカードとして構成され、１つの中心部分と、複数の多目的部分と、複数の折り目とからなり、２次元平面形状で図示される、第４の実施形態による物品の前面図である。
【図１０】グリーティングカードの踵部分の変形例の拡大前面図である。図９（７２）を参照。
【図１１】グリーティングカードの踵部分の変形例の拡大前面図である。図９（７２）を参照。
【図１２】グリーティングカードの踵部分の変形例の拡大前面図である。図９（７２）を参照。
【図１３】３次元形状のグリーティングカードとして構成され、多目的部分１８ａを展示し、グリーティングカードの基部を形成する、第５の実施形態による物品の側立面図である。
【図１４】３次元形状のグリーティングカードとして構成され、多目的部分１８の多用途性を展示する、第６の実施形態による物品の側立面図である。
【図１５】３次元形状のグリーティングカードとして構成され、２つの折り目を介して繋がっている２つの多目的部分を展示する、第７の実施形態による物品の側立面図である。
【図１６】グリーティングカードとして構成され、立設する中心部分より先に３次元形状に配置されるようになされた２つの多目的部分を展示する、第８の実施形態による物品の側立面図である。
【図１７】グリーティングカードとして構成され、組み立て後の３次元形状において複数の多目的部分（１８、１８ａ、１８ｂ）の使用を展示する、第９の実施形態による物品の前方斜視図である。
【図１８】グリーティングカードとして構成され、図１７の別の配置を展示する、第１０の実施形態による物品の前方斜視図である。
【図１９】グリーティングカードとして構成され、２次元平面形状にある、折り畳まれた平面状態で図示された、第１１の実施形態による物品の前面図である。
【図２０】グリーティングカードとして構成され、上部２２および後方上部２２から下方へ折り曲げられた多目的部分１８を展示して、立設した３次元形状に背景を提供する、第１２の実施形態による物品の側立面図である。
【図２１】グリーティングカードとして構成され、上部２２から上方へ延在する多目的部分１８と、さらに別の多目的部分１８ａとを展示して、立設した３次元形状に背景を提供する、第１３の実施形態による物品の側立面図である。
【図２２】グリーティングカードとして構成され、２次元平面形状に図示された、第１４の実施形態による物品の前面図である。
【発明を実施するための形態】
【００４５】
図面の図１〜図６を参照する。グリーティングカード１０として構成された第１の実施形態による物品が図示されている。前面１２と背面１４とを有するシート１１を含むグリーティングカード１０が、図１、２において２次元形状で示されている。シート１１は、中央部分１６として画定される第１の部分と、多目的部分１８として画定される第２の部分と、折り目２０として画定される折り線とを含む。多目的部分１８は、折り目２０を介して中央部分１６に取り付けられている。中央部分１６と多目的部分１８は、折り目２０を介して繋がっている。中央部分１６と多目的部分１８は、１つの素材片から形成されている。グリーティングカード１０は、好適な厚さをもつ紙料から製造されてよい。別の実施形態では、グリーティングカードは、紙、ボール紙、プラスチック、鉱物、パーチメント紙などであるがこれらに限定されない多種多様な材料から製造されてもよい。通常、紙料を裁断して所望の構成のシート１１を製造する。紙料は、ダイカッティング処理によって裁断されてよい。
【００４６】
中央部分１６は、略半円形状にすることができ、（図面に見られるように）上部２２と、本体部２４とを含む。本体部２４は、曲線第１縁２５と、上部２２の両側に配置された第２縁２６と、第３縁２８とを含む。グリーティングカード１０を安定した構造で３次元形状に立設するためには、以下に説明するように、第１縁２５は、縁２６、２８の両方よりも長いことが好ましい。
【００４７】
上部２２および本体部２４は、２つの部位２２、２４の一部が、その間にある交差点２１で一体的に繋がった状態で、またその２つの部位２２、２４のさらに別の一部が、キャラクター線３６に沿って切り離された状態で、一体的に形成されている。交差点２１は中心に配置されている。分離線２３は、シート１１のスリットによって画定される。キャラクター線３６は、シート１１のスリットによって画定される。分離線２３は、キャラクター線３６の一部でもよいし、キャラクター線３６に対して分離していてもよい。分離線２３とキャラクター線３６は、紙料を裁断して所望の構成のシート１１を製造するときに同時に形成される。
【００４８】
この配置により、上部２２および本体部２４は、グリーティングカード１０が立設されると、図３、４、５に示されたように、本体部２４から突き出る。図示された配置では、中央部分１６は、３次元形状にあるときに、胴部２７ａと頭部２７ｂとを有する身体２７を表現し、上部２２が頭部を形成し、本体部２４が胴部の上側と下側を形成している。本実施形態では、身体２７は、ウサギを示している。別の配置では、身体２７は、例えば、尖塔教会または飛行機などであるがこれらに限定されない異なる形状を示してもよい。
【００４９】
上部２２は、形が略円形であってよい。あるいは、上部２２は、正方形、三角形、または楕円形など別の形でもよいが、これらに限定されない。上部２２は、平坦な２次元形状のときに、少なくとも中央部分１６の幅まで幅方向に延在してよく、また平坦な２次元形状のときに少なくとも中央部分１６の高さまで延在してよい。ウサギの尻尾または卵のかごなどであるがこれらに限定されない付属部を組み込むことができるように、上部２２、２４は、素材のキャラクター線３６を含んでよい。
【００５０】
第２縁２６に隣接して配置されるのが、タブ３０である。タブ３０は、タブ３０と第２縁２６との交差点において素材に開いたスリット３２、３２ａの形状の切れ込みとともに形成される。溝穴３４が、第３縁２８に隣接して配置される。溝穴３４は、素材に開いたスリットの形状であり、第３縁２８から離間した位置において延在している。溝穴３４は、タブ３０の最長の長さよりも短い。係合手段の長さは、カード１０の構成に応じて短くしたり長くしたりすることができる。
【００５１】
中央部分１６は、さらに、第１縁２５と溝穴３４との間に踵部７２を含む。３次元形状の中央部分１６が、ある表面に載っているとき、踵部７２は、第１縁２５に対して均等な重量配分を提供し、また３次元形状のためのバランスと安定性とを提供する。
【００５２】
グリーティングカード１０は、２つの部分１６、１８の連絡点において折り目２０を含む。これらの２つの部分１６、１８の連絡点には、第１縁２５がある。本発明の別の実施形態では、多目的部分１８は、円形、正方形、または三角形などの別の形でもよいが、これらに限定されない。折り目２０は、中央部分１６の縁の一部とさらに別の中央部分１６の縁の一部とを含むことができる。折り目２０は、多目的部分１８の縁の一部とさらに別の多目的部分１８の縁の一部とを含むことができる。任意の２つの部分の連絡点が、折り目となる。
【００５３】
中央部分１６は、中央境界７１として画定される外縁を有する。多目的部分１８は、多目的境界７３として画定される外縁を有する。
【００５４】
多目的部分１８の前面１２に配置されるのは、両面テープなどであるがこれに限定されない接着手段４４である。本発明の別の配置では、接着手段４４は、中央部分１６および多目的部分１８の背面と前面に配置されてもよい。
【００５５】
本発明の別の配置では、接着手段４４は、部分と部分とを接着するのに使用されてもよい。本発明の別の配置では、接着手段４４は、ある部分の一部を同部分に対して接着するのに使用されてもよい。
【００５６】
グリーティングカード１０は、組み立て後のカード１０を展示用に支持体に取り付けることができるように取付手段を含んでもよい。取付手段は、冷蔵庫のドアまたは自動車の一部などであるがこれらに限定されない金属面に組み立て後のカードを取り付けるための磁石などであるがこれに限定されない取付手段を含むこともできる。
【００５７】
前面１２と背面１４は、グリーティングカード１０の意図感情に対応する１つまたは複数の挨拶文を含んでよい。グリーティングカード１０は、通常、詩型であるがこれに限定されない利用可能なメッセージを選択して提供される。本発明の別の実施形態では、グリーティングカード１０は、電子手段などであるがこれに限定されない、差出人がメッセージを作成する手段を含んでもよく、これにより、メッセージの内容が差出人によってアップロードされるかまたは選択される。前面１２と背面１４は、任意の数の図柄、印、またはスリットを含んでもよい。
【００５８】
図３に示されたようにグリーティングカード１０を組み立てるためには、底部で逆円錐形を形成するように、直線縁２６、２８を互いに近づけるようにして中央部分１６自体を巻いて、円錐形の底部が、第１縁２５となり、円錐形の頂部が、図１、２、３に図示されるように分離線２３となる。
【００５９】
直線縁２６と２８とが合わせられて、タブ３０が溝穴３４に隣接する直線縁２８の上になるようにして、配向される。このような配向により、タブ３０を前面１４から溝穴３４へ挿入することが可能になる。タブ３０は、溝穴３４に対して角度をなして差し出され、タブを溝穴に入れることが可能になる。挿入後、タブ３０はグリーティングカード１０内で内側に位置する。
【００６０】
多目的部分１８の前面１２が直立して中央部分１６の直線縁２６、２８に対して隣接して配向されるように、多目的部分１８の前面１２を、その後、折り目２０で折り曲げることができる。多目的部分１８は、その後、接着手段４４によって中央部分に固定される。
【００６１】
上部２２と本体部２４との交差点から離れたところに開口３８がある。使用ときには、開口３８を利用して組み立て後のカード１０を展示用に吊り下げてもよい。組み立て後のカード１０を、掛け釘またはフックなどの固定具に直接掛けてもよいし、あるいは、組み立て後のカード１０を、開口３８に挿通されたリボンまたは紐などであるがこれらに限定されない紐３９に吊り下げてもよい。別の実施形態では、紐３９は、１つまたは複数の開口３８に挿通されてよい。これによってグリーティングカード１０の組み立てが完了する。
【００６２】
別の配置では、中央部分１６が３次元形状に立設される前に、中央部分１６の第１縁２５に繋がっているテディベアの形状の多目的部１８ａを、下方、後方、そして上方に折り曲げて中央部分１６の背面に角度をつけて寄り掛け、それによって、中央部分１６が３次元形状に立設されると、花かごが表現され、その花の後ろにテディベア１８ａが現れる。さらに別の２つの多目的部分１８ｂ、１８ｃが第１縁２５で繋がっており、これらの多目的部分のうち、離間した第１係合手段３０を含む一方の多目的部分１８ｂが、折り目２０を介して花かごの左側と繋がっており、離間した第２係合手段３４を含む他方の多目的部分１８ｃが、折り目２０を介して花かごの右側と繋がっている。これらの両方の多目的部分１８ｂ、１８ｃの未接続端が、その後、上方に折り曲げられ、花かごの頂部の上で繋ぎ合わされて、それぞれの離間した第１の係合手段３０および第２の係合手段３４によって係合されて花かごの持ち手を表現する。かごの持ち手から下に折り曲げられるのが、ハート形のメッセージ領域であるさらに別の多目的部分１８ｄである。持ち手の第１の係合３０および第２の係合３４下にあるかごの最上部の花に繋がったさらに別の多目的部分１８ｅがある。多目的部分１８ｅは、外側に折り曲げると２匹の小さな蝶になる。さらに、中央部分１６の第１縁２５は、上方に折り曲げられて中央部分１６に隣接するかまたは角度をなすときに様々な花々や庭の妖精を表現する、その他の多数の多目的部分１８ｆ、１８ｇ、１８ｈ、１８ｉ、１８ｊ、１８ｋ、１８ｌ、１８ｍ、１８ｎからできている。中央部分１６の第１の縁２５に繋がったさらに別の多目的部分１８ｏがあり、この多目的部分１８ｏは、上方に折り曲げられ３次元形状に隣接すると、太陽、青空、ふわふわの白い雲からなる背景１８を表現する。多目的部分１８ｏに繋がったさらに別の多目的部分１８ｐと、多目的部分１８ｐに繋がったまた別の多目的部分１８ｑがある。多目的部分１８ｐは、多目的部分１８ｑよりも小さくて細い。多目的部分１８ｐが前方に折り曲げられると、より大きな多目的部分１８ｑが、多目的部分１８ｏの前で多目的部分１８ｏに対して平行に折り曲げられ、蝶の模様が空を満たして３次元効果をさらに高める。２つの個別の折り目を介して多目的部分１８ｏの最上縁に繋がったさらに別の細い多目的部分１８ｒと、多目的部分１８ｏよりも幅広で、２つの個別の折り目２０を介して多目的部分１８ｒに繋がったさらに別の多目的部分１８ｓがある。多目的部分１８ｒが後方に折り曲げられ、多目的部分１８ｓが、多目的部分１８ｏよりも幅広な領域をもって、多目的部分１８ｏの背面１４に隣接する位置へと下方に折り曲げられたとき、遠くの山並みが、背景１８ｏに対してさらに別の背景１８ｓを提供する。第１縁２５に繋がって基部の役割を果たすさらに別の多目的部分１８ｔは、下方、後方に折り曲げられた後に３次元形状にある中央部分１６の底端に隣接して固定されるときに、３次元形状に対して基部１８ｔを提供する。この基部が、例えば、キャンディー、歯、お金、または婚約指輪を配置するための空洞５６を形成する。
【００６３】
上記の別の配置によって、創造性と新規性への欲求をもつ差出人に対して魅力的な選択肢が提供される。グリーティングカードは、封筒に入れて平坦な状態で送ることができ、その上、付加された相互作用性と興奮で、受取人に感興性、期待、およびサプライズを引き起こす。
【００６４】
別の実施形態では、図７、図８（１８ａ）、および図１４（１８）に示されるように、中央部分１６が３次元形状に立設される前に多目的部分１８の背面１４が中央部分１６の背面１４に対して隣接するかまたは角度をなして配向されるように、多目的部分１８の背面１４を折り目２０で折り曲げることができる。
【００６５】
図１６（１８、１８ａ）に示される別の実施形態では、中央部分１６が３次元形状に立設される前に、多目的部分１８の背面が、底端に対して隣接するかまたは角度をなして配向されるように、多目的部分１８の背面を折り目２０で折り曲げてよい。
【００６６】
そのように所望する場合には、中央部分１６の円錐形状を平坦化するようにグリーティングカード１０をさらに折り曲げてよく、正方形、三角形、または楕円形などであるがこれらに限定されない形を形成する。このようにして、グリーティングカード１０は、例えば、しおりなどの別の目的で使用されてもよい。
【００６７】
グリーティングカード１０は、差出人と受取人との両者に様々な度合いの感興性、簡潔性、複雑性、創造性、相互作用性を提示し、また、同時に、本質的に魅力的である。
【００６８】
あるいは、贈り物として意図された物体を３次元形状の境界内に収容した状態で、組み立て後のグリーティングカード１０をこの物体の上に単に載せることも可能である。
【００６９】
図面の詳細な説明
図１  グリーティングカードとして構成され、２次元平面形状で図示された、第１の実施形態による物品の前面図である。
図２  ２次元平面形状にある図１のグリーティングカードの背面図である。
図３  ３次元形状に組み立てられる途中の図１のグリーティングカードの前方斜視図である。
図４  組み立て後の３次元形状にある図１のグリーティングカードの前方斜視図である。
図５  図４に図示されたグリーティングカードの側立面図である。
図６  第１の実施形態のグリーティングカードと多くの点で類似する第２の実施形態による図であって、したがって、同様の部分を特定するために一致する参照番号が用いられる。この第２の実施形態では、グリーティングカード１０が、３次元形状に組み立てられて棚などの支持体表面に載っているときに、グリーティングカード１０に安定性をもたらすように、中央部分１６が重り５０を受け入れるように構成される。組み立て後のカードが空気の移動や非意図的な衝突などの事象に晒されたときに、重り５０がカードを補助して、その安定性を維持することができる。重り５０は、任意の適切な形態を取ってよいが、硬貨が特に便利であることが分かっている。図示された配置では、背面１４には、直線縁２６、２８から離間した第１縁２５に隣接して印が付けられた位置があり、ここに重り５０を取り付けることができる。
図７  図７に示された本発明の第３の実施形態による、互いに繋がった、中央部分１６と、多目的部分１８と、さらに別の４つの多目的部分１８ａ、１８ｂ、１８ｃ、１９ｄとを画定するシートを含む物品である。中央部分１６は、３次元形状への立設に適しており、多目的部分１８は、３次元形状において中央部分１６の前景の役割に適しており、さらに別の多目的部分１８ａは、３次元形状において中央部分１６に対する内側部分７４の役割に適しており、さらに別の多目的部分１８ｂは、３次元形状において中央部分１６に対する基部の役割に適しており、さらに別の多目的部分１８ｃは、３次元形状において中央部分１６に対する背景の役割に適しており、さらに別の多目的部分１８ｄは、３次元形状において中央部分１６に対する背景の役割を果たす多目的部分１８ｃに対する前景の役割に適している。内側部分７４の役割を果たす多目的部分１８ａは、中央部分１６が３次元形状に立設される前に、中央部分１６の背面に対して隣接するかまたは角度をなす位置に折り曲げられるように構成される。
図８  図７に示された本発明の第３の実施形態による、互いに繋がった、中央部分１６と、多目的部分１８と、さらに別の４つの多目的部分１８ａ、１８ｂ、１８ｃ、１８ｄとを画定するシートを含む物品である。
図９  図９に示された本発明の第４の実施形態による、互いに繋がった、中央部分１６と、多目的部分１８と、さらに別の多目的部分１８ａとを画定するシートを含む物品であり、中央部分１６は、３次元形状への立設に適し、中央部分を提供し、多目的部分１８は、中央部分１６に対する基部５４を提供するように構成され、さらに別の多目的部分１８ａは、３次元形状に対して前景を提供するように構成される。踵部７２もまた明確に示されている。
図１０、１１、１２  図９に示された本発明の第４の実施形態による図であり、中央部分１６は、踵部７２からなる。立設された３次元形状１６が、ある表面に載っているとき、踵部７２は、中央部分１６の第１縁２５に対して均等な重量配分を提供し、また３次元形状１６のためのバランスと安定性とを提供する。踵部７２の寸法は、グリーティングカード１０の構成に応じて調節される。
図１３  図１３に示された本発明の第５の実施形態による、中央部分１６と、２つの多目的部分１８、１８ａとを画定するシートを含む物品であって、折り目２０が、２つの部分１６、１８の間の交差点にある。これら２つの部分１６、１８の交差点に、第１縁２５がある。多目的部分１８が、中央部分１６に対して背景部分を提供するように構成されるように、第１縁２５は、折り目２０で折り曲げることができる多目的部分１８を含む。中央部分１６の第１縁２５は、さらに、第２の多目的部分１８ａを備え、折り目２０ａが、２つの部分１６、１８ａの交差点にある。多目的部分１８ａは、中央部分１６の立設時に作られた３次元形状の内部５６の基部５４を提供するように配向されている。この配置によって、内部５６は、開口頂部５８を介して挿入されるかまたは空洞が画定される前に空洞内に配置される物体を、受け取って収納するための空洞を画定することができる。このようにして、カードの受取人に贈呈する小さな贈り物を空洞内に収容することができる。本実施形態によるカードに特に好適な１つの用途は、歯の抜けた子供を対象とする。子供は、抜けた歯が「歯の妖精」によって硬貨またはその他の小さな贈り物と後で交換されることができる空洞に、抜けた歯を挿入することができる。
図１４  本発明の第６の実施形態による、互いに繋がった、中央部分と、多目的部分と、さらに別の多目的部分とを画定するシートを含む物品である。図１４に示された多目的部分（１８）は、３次元形状の立設の前に、中央部分１６の背面１４に隣接した内部位置から任意の位置へ折り曲げられ、中央部分が３次元形状に立設されるときに、第１の部分１６の前面１２に隣接する前景位置に折り曲げられるように構成され、それによって多目的部分１８は、中央部分１６に対して隣接するかまたは角度をなす位置に折り曲げられることができる。
さらに別の多目的部分１８ａは、３次元形状１６に基部５４を提供するように構成される。
図１５  図１５に示された本発明の第７の実施形態による、互いに繋がった、中央部分１６と、多目的部分１８と、さらに別の多目的部分１８ａとを画定するシートを含む物品である。中央部分１６は、多目的部分１８が基部５４を提供するように構成され、また別の多目的部分１８ａが３次元形状１６に背景１８ａを提供するように構成される前に、３次元形状へ立設されるのに適している。
図１６  図１６に示された本発明の第８の実施形態による、互いに繋がった、中央部分１６と、多目的部分１８と、さらに別の多目的部分１８ａとを画定するシートを含む物品であり、中央部分１６が３次元形状に立設される前に、多目的部分１８は、基部５４を提供するように構成され、さらに別の多目的部分１８ａは、背景部分を提供するように構成される。
図１７  図１７に示された本発明の第９の実施形態による、折り目２０、２０ａ、２０ｂを介して互いに繋がった、中央部分１６と、多目的部分１８と、さらに別の２つの多目的部分１８ａ、１８ｂとを含む物品１０である。中央部分１６は３次元形状への立設に適しており、背景の役割を果たす多目的部分１８は、３次元形状において中央部分１６に隣接するかまたは角度をなすように構成され、また、さらに別の２つの多目的部分であり、前景の役割を果たす多目的部分１８ａと、基部の役割を果たす多目的部分１８ｂとが、３次元形状において中央部分１６に隣接するかまたは角度をなすように構成される。
図１８  図１８に示された本発明の第１０の実施形態による、折り目２０、２０ａを介して互いに繋がった、中央部分１６と、多目的部分１８と、さらに別の２つの多目的部分１８ａとを含む物品１０である。中央部分１６は、３次元形状への立設に適しており、前景の役割を果たす多目的部分１８は、３次元形状において中央部分１６に隣接するかまたは角度をなすように構成され、また、基部の役割を果たすさらに別の多目的部分１８ａも、３次元形状において中央部分１６に隣接するかまたは角度をなすように構成される。
図１９  図１９に示された本発明の第１１の実施形態による、２次元平面形状にある中央部分１６と多目的部分１８とを含み、渡したり投函したりするために標準的な郵便封筒に挿入される準備ができている物品１０である。本願において上述されたように、身体２７の部位は、中央部分１６が２次元平面形状にあるときに、少なくとも中央部分１６の幅まで幅方向に延在することができ、また、中央部分１６が２次元平面形状にあるときに、少なくとも中央部分の高さまで延在することができる。この図１９の実施形態では、キャラクター線３６が、ドラゴンを表現するように構成されており、２次元平面形状では、尻尾が中央部分１６の幅まで延在し、３次元形状では、尻尾が中央部分１６から離れて突き出るため、グリーティングカードの芸術の様々な使い方を可能にするという点において本発明の計り知れない用途をさらに実証している。
図２０  図２０に示された本発明の第１２の実施形態による、互いに繋がった中央部分１６と、多目的部分１８とを備え、多目的部分１８が、折り目２０を介して上部２２の最上部分に繋がっている、物品である。背景の役割を果たす多目的部分１８が、次に、下方に折り曲げられ、３次元形状において中央部分１６に隣接するかまたは角度をなすように構成される。
図２１  図２１に示された本発明の第１３の実施形態による、折り目２０、２０ａを介して互いに繋がった、中央部分１６と、２つの多目的部分１８、１８ａとを含む物品である。中央部分１６は、３次元形状への立設に適している。多目的部分１８ａは、３次元形状に対して隣接するかまたは角度をなす立設に適している。多目的部分１８は、中央部分１６の上部２２の最上部分に繋がっている。多目的部分１８は、吊り具として使用するために提供され、そこに、情報、画像、カレンダーなどであるがこれらに限定されない特徴を付加して、グリーティングカードを補完することができる。
図２２  図２２に示された本発明の第１４の実施形態によれば、１０個の折り目を介して互いに繋がった２つの中央部分１６と９つの多目的部分１８と、２つの第１係合部と、２つの第２係合部と、２つの開口とを画定するシートを含む物品がある。図２２の作品は、本願において上述された図７の作品と類似しているが、２つの中央部分を繋げる折り目があるという１つの変更点がある本発明を適合することができるその他の実施形態としては、図２２の図と同様の方法で相互に繋がっている、追加的な中央部分および多目的部分を含むことのできる、クリスマス装飾、パズル、販売宣伝材料、および教育材料が含まれるが、これらに限定されない。
【００７０】
以上のことから、多様な実施形態のそれぞれが、簡潔だが高い創造性と、汎用性と、新規性とを有するグリーティングカードを提供し、このグリーティングカードは、従来のカードと同様の方法で意図された受取人に配達されることができる一方で、簡単に３次元形状に組み立てられ、興味や感興性を引き起こすとともに展示を容易にすることができるということが明らかである。
【００７１】
本発明の範囲は、記載された様々な実施形態の範囲に限定されないことが理解されるだろう。当業者にとって明らかな修正や変更は、本発明の範囲内であるとみなされる。
【００７２】
本明細書を通じて、文脈において別の意味を要求されない限り、「含む（comprise）」という単語、または「含む（comprises）」や「含む（comprising）」などの変形例は、記載された整数または整数群を含むことを意味するが、他の整数または整数群を排除することを意味するものではないことが理解されるだろう。
【図１】
2018158589.tif 000003
【図２】
2018158589.tif 000004
【図３】
2018158589.tif 000005
【図４】
2018158589.tif 000006
【図５】
2018158589.tif 000007
【図６】
2018158589.tif 000008
【図７】
2018158589.tif 000009
【図８】
2018158589.tif 000010
【図９】
2018158589.tif 000011
【図１０】
2018158589.tif 000012
【図１１】
2018158589.tif 000013
【図１２】
2018158589.tif 000014
【図１３】
2018158589.tif 000015
【図１４】
2018158589.tif 000016
【図１５】
2018158589.tif 000017
【図１６】
2018158589.tif 000018
【図１７】
2018158589.tif 000019
【図１８】
2018158589.tif 000020
【図１９】
2018158589.tif 000021
【図２０】
2018158589.tif 000022
【図２１】
2018158589.tif 000023
【図２２】
2018158589.tif 000024
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
１枚の平坦なシート材料を備える物品であって、
前記シート材料は、中央部分と、前記中央部分に接続された１以上の多目的部分と、を画定しており、
前記中央部分は、第１縁と、前記第１縁の一端に接続された第２縁と、前記第１縁の他端に接続された第３縁と、を有しており、
前記中央部分は、前記第２縁および前記第３縁を互いに近づけるように湾曲させることで、前記第１縁が底端となる３次元形状を構成し、
前記多目的部分は、折り目を介して前記第１縁に接続されており、
前記多目的部分は、前記折り目に沿って折り曲げることで、前記３次元形状の前景部または側部または内側部分を形成する、
ことを特徴とする物品。
【請求項２】
さらに、折り目を介して前記第１縁に接続された第二の多目的部分であって、前記折り目に沿って折り曲げることで、前記３次元形状の基部を形成する第二の多目的部分を備える、ことを特徴とする請求項１に記載の物品。
【請求項３】
前記中央部分が、少なくとも２つの部位を含み、前記２つの部位の一部は一体的に繋がっており、前記２つの部位の別の一部は切り離されており、それによって、前記中央部分が前記３次元形状に組み立てられたときに、前記２つの部位の一方が、前記２つの部位の他方から突き出る、請求項１または２に記載の物品。
【請求項４】
前記中央部分は、前記３次元形状にあるときに、胴部と頭部とを有する身体を表現し、
前記中央部分の上部が、前記頭部と前記胴部の上側とを形成し、前記第中央部分の本体部が、前記胴部の下側を形成する、請求項３に記載の物品。
【請求項５】
前記中央部分は、上部と本体部とを有し、
前記本体部が互いに離間した第１の係合手段と第２の係合手段を備え、
前記中央部分自体が湾曲されるときに、前記第１の係合手段と第２の係合手段とが相互係合して前記中央部分を３次元形状で維持させる、請求項１から４のいずれか１項に記載の物品。
【請求項６】
前記第１の係合手段はタブを備え、
前記第２の係合手段は、前記タブを受け入れるように構成された溝穴を備える、請求項５に記載の物品。
【請求項７】
前記中央部分が前記３次元形状に立設されたときに最内側になる、前記中央部分の特定の面に重りが取り付けられる、請求項１から６のいずれか１項に記載の物品。
【請求項８】
前記１以上の多目的部分は、前記第２縁および第３縁の１つに隣接し、前記３次元形状の背景部を形成する、端部多目的部分を含む、請求項１から７のいずれか１項に記載の物品。
【請求項９】
折り目を介して前記多目的部分に折り曲げ可能に繋げられた、さらなる多目的部分を含む、請求項１から８のいずれか１項に記載の物品。
【請求項１０】
折り目を介して前記中央部分に折り曲げ可能に繋げられた、さらなる中央部分を含む、請求項１から９のいずれか１項に記載の物品。
【請求項１１】
さらなる多目的部分が折り目を介して前記さらなる中央部分に折り曲げ可能に繋げられている、請求項１０に記載の物品。
【請求項１２】
前記第１縁と前記溝穴との間に踵部が位置し、前記中央部分と多目的部分とが折り曲げられて前記３次元形状を形成すると、前記踵部が前記３次元形状に対する延長端部となって１表面に載り、前記第１縁に対して重量を均等配分するとともに前記３次元形状にバランスと安定性を与える、請求項６に記載の物品。